(57)【要約】【課題】片手で注出操作を容易に行うことが可能な、ポンプ付き注出容器を提供する。【解決手段】本発明の注出容器１００は、容器本体１と、容器本体１の口部４に装着される装着部１４と、装着部１４に取り付けられるポンプ８とを備え、ポンプ８のヘッド部５を装着部１４に向けて押し下げることによってポンプ８が内容物を注出する注出容器１００であって、ヘッド部５にはノズル筒６が設けられ、ポンプ８は、注出容器１００の正立状態において所定角度を有するように傾斜して配置されると共に、注出容器１００に対して保持力を作用可能な係止部２３が設けられ、係止部２３は、親指でヘッド部５を押し下げると共に他の少なくとも１本の指で係止部２３を把持する、又は親指で係止部２３を把持すると共に他の少なくとも１本の指でヘッド部５を押し下げることにより、装着部１４からヘッド部８へと向かう方向及び内容物の注出方向に保持力を作用可能であることを特徴とする。【選択図】図２
2017013826.tif 000002
【特許請求の範囲】
【請求項１】
内容物を収容する容器本体と、該容器本体の口部に装着される装着部と、該装着部に取り付けられるポンプとを備え、該ポンプのヘッド部を前記装着部に向けて押し下げることによって前記ポンプが内容物の注出動作を行う注出容器であって、
前記ヘッド部には、前記押し下げ動作により内容物を前記ヘッド部の外周方向に注出するためのノズル筒が設けられ、
前記ポンプは、前記注出容器の正立状態において該ポンプの中心軸線が鉛直方向に対して所定角度を有するように傾斜して配置されると共に、前記注出容器に対して保持力を作用可能な係止部が設けられ、
該係止部は、親指で前記ヘッド部を押し下げると共に他の少なくとも１本の指で前記係止部を把持する、又は親指で前記係止部を把持すると共に他の少なくとも１本の指で前記ヘッド部を押し下げることにより、前記装着部から前記ヘッド部へと向かう方向及び内容物の注出方向に保持力を作用可能であることを特徴とする、注出容器。
【請求項２】
前記係止部は、前記ポンプ又は前記装着部の側面から注出方向に延びる注出方向保持部と、該注出方向保持部の外周側端部から更に前記中心軸線に沿って容器本体方向へと延びる中心軸線方向保持部とを有する、請求項１に記載の注出容器。
【請求項３】
前記係止部は、前記容器本体の側面から外側に延びる水平方向保持部と、該水平方向保持部の外側端部から更に前記容器本体の底部へと向かって延びる鉛直方向保持部とを有する、請求項１又は２に記載の注出容器。
【請求項４】
前記係止部は、前記注出容器の取っ手を兼ねる、請求項３に記載の注出容器。
【請求項５】
前記容器本体には、鉛直方向に延びる筒部が一体に設けられ、
前記ポンプの下端部が前記筒部の上端部に嵌合する、請求項１乃至４のいずれか一項に記載の注出容器。
【請求項６】
前記容器本体における、前記注出方向とは反対方向の側面には、前記容器本体を固定するためのフックが設けられている、請求項１乃至５のいずれか一項に記載の注出容器。
【請求項７】
前記係止部は、前記ポンプの中心軸線周りに回転可能に構成されている、請求項１乃至６のいずれか一項に記載の注出容器。
【発明の詳細な説明】
【技術分野】
【０００１】
この発明は、片手で内容物を注出させることが可能な注出容器に関するものである。
【背景技術】
【０００２】
食器用洗剤又は液体石鹸等の内容液を収容し注出するための注出容器では、通常、一方の手でポンプのヘッド部を押圧しながら、もう一方の手の手の平で注出される内容液を受け取るようにして注出操作を行うことが想定されている。しかし、実際にこれらの注出容器を使用する際には、例えば片方の手に既に食器を持った状態で、もう一方の手のみで内容液を注出し、且つ受け取りたい場面が想定される。従って、片手での注出操作を容易に行うことが可能なポンプ付き注出容器が求められている。
【０００３】
このような課題に対して、例えば特許文献１には、容器本体にポンプを取り付けるための組み付きキャップの周囲を覆うように補助部材を装着し、当該補助部材を円筒状の嵌合周壁部から係止板片が外周方向に突出するように構成して、ポンプの押し下げ操作時に当該係止板片が指掛けの機能を発揮するようにしたポンプ付注出容器が開示されている。
【先行技術文献】
【特許文献】
【０００４】
【特許文献１】特開２０１０−１５５６２３号公報
【発明の概要】
【発明が解決しようとする課題】
【０００５】
しかしながら、特許文献１に記載の注出容器では、手にスポンジを持ったまま注出操作を行おうとすると、スポンジが妨げとなってノズルヘッド及び係止板片にしっかりと指を掛けた状態でポンプの押し下げ操作を行うことができない場合があった。また、特許文献１では係止板片が平面状に構成されているため、ノズルヘッドを斜め方向から押圧して注出容器に回転モーメントが生じた場合、手が濡れた状態で係止板片を保持しても注出容器を安定に保持するための保持力を作用させることができず、うまく注出操作を行うことができないという問題があった。
【０００６】
本発明はこのような現状に鑑み開発されたもので、片手で注出操作を容易に行うことが可能な、ポンプ付き注出容器を提供することを目的とする。
【課題を解決するための手段】
【０００７】
本発明の要旨構成は以下のとおりである。
１．内容物を収容する容器本体と、該容器本体の口部に装着される装着部と、該装着部に取り付けられるポンプとを備え、該ポンプのヘッド部を前記装着部に向けて押し下げることによって前記ポンプが内容物の注出動作を行う注出容器であって、
前記ヘッド部には、前記押し下げ動作により内容物を前記ヘッド部の外周方向に注出するためのノズル筒が設けられ、
前記ポンプは、前記注出容器の正立状態において該ポンプの中心軸線が鉛直方向に対して所定角度を有するように傾斜して配置されると共に、前記注出容器に対して保持力を作用可能な係止部が設けられ、
該係止部は、親指で前記ヘッド部を押し下げると共に他の少なくとも１本の指で前記係止部を把持する、又は親指で前記係止部を把持すると共に他の少なくとも１本の指で前記ヘッド部を押し下げることにより、前記装着部から前記ヘッド部へと向かう方向及び内容物の注出方向に保持力を作用可能であることを特徴とする、注出容器。
【０００８】
２．前記係止部は、前記ポンプ又は前記装着部の側面から注出方向に延びる注出方向保持部と、該注出方向保持部の外周側端部から更に前記中心軸線に沿って容器本体方向へと延びる中心軸線方向保持部とを有する、前記１に記載の注出容器。
【０００９】
３．前記係止部は、前記容器本体の側面から外側に延びる水平方向保持部と、該水平方向保持部の外側端部から更に前記容器本体の底部へと向かって延びる鉛直方向保持部とを有する、前記１又は２に記載の注出容器。
【００１０】
４．前記係止部は、前記注出容器の取っ手を兼ねる、前記３に記載の注出容器。
【００１１】
５．前記容器本体には、鉛直方向に延びる筒部が一体に設けられ、
前記ポンプの下端部が前記筒部の上端部に嵌合する、前記１乃至４のいずれかに記載の注出容器。
【００１２】
６．前記容器本体における、前記注出方向とは反対方向の側面には、前記容器本体を固定するためのフックが設けられている、前記１乃至５のいずれかに記載の注出容器。
【００１３】
７．前記係止部は、前記ポンプの中心軸線周りに回転可能に構成されている、前記１乃至６のいずれかに記載の注出容器。
【発明の効果】
【００１４】
本発明によれば、片手で注出操作を容易に行うことが可能な、ポンプ付き注出容器を提供することができる。
【図面の簡単な説明】
【００１５】
【図１】本発明の第１実施形態に係る注出容器の外観を示す図である。
【図２】図１の注出容器に対して、片手で注出操作を行う状態を示す図である。
【図３】本発明の第１実施形態に係る注出容器の変形例を示す図である。
【図４】本発明の第２実施形態に係る注出容器の外観を示す図である。
【図５】本発明の第３実施形態に係る注出容器の外観を示す図である。
【発明を実施するための形態】
【００１６】
以下、図１〜図３を参照して、本発明の第１実施形態に係る注出容器について詳細に例示説明する。なお、本明細書、特許請求の範囲、要約書および図面では、容器の正立状態を基準とし、図１における上側を上方とし、下側を下方とする。
【００１７】
図１に示すように、本実施形態に係る注出容器１００は、容器本体１と、容器本体１の口部４に着脱可能な装着筒１４（装着部）と、装着筒１４に対して取り付けられるポンプ８と、ポンプ８が有するリング１１の側面から外周方向に突出する係止部２３とを備えている。
【００１８】
本実施形態において、容器本体１は、上部に傾斜して設けられた口部４と、当該口部４よりも幅広に形成されて鉛直方向に延びる胴部１５と、胴部１５の下部を閉塞する底部１９とを有する。後述する理由により口部４に装着される装着筒１４及びポンプ８の中心軸線ＣＬを約４５度傾斜させるために、口部４の中心軸線ＣＬは、図１に示すように鉛直方向に対して約４５度傾斜して設けられている。これによりポンプ８のヘッド部５が図１の右側上方に突出して注出容器１００の重心位置が右方向に移動して倒れ易くなるが、容器本体１の底部１９は、この重心位置の移動に対応して図１の右方向に更に幅広に形成されている。これにより、注出容器１００は水平平面上に安定した状態で配置することができる。なお、口部４の外周面には図示しない雄ねじ部が設けられ、装着筒１４の内周面に設けられている雌ねじ部とねじ係合するように構成されている。
【００１９】
容器本体１の左側面には、鉛直方向に延びる筒部１６が容器本体１と一体化されて設けられている。筒部１６は、図１における容器本体１の左側面に沿ってスリット１７を介して設けられている。筒部１６の上端部１６Ｕは、嵌合するポンプ８の下端部８Ｌの外径に合わせてやや拡径して設けられ、ポンプ８の下端部８Ｌに嵌合するように図１の右方向に曲がった形状を有している。容器本体１の胴部１５及び底部１９が図１の紙面に垂直な方向に同じ形状を維持した中空の角柱形状を有しているのに対して、筒部１６は、鉛直方向に細長く延びる中空の略円柱形状を有している。
【００２０】
容器本体１における筒部１６の上方には、筒部１６の直径に概ね等しい厚みを有し、内側面が略円弧状に形成されたフック１８が設けられている。フック１８は、注出容器１００をキッチン、浴室等の使用場所に設置するのに用いることができる他、後述するように内容液を注出する際に注出容器１００を安定して固定する役割を果たす。
【００２１】
装着筒１４は、手動押し下げ式のポンプ８を容器本体１に対して組み付け固定するための部材である。装着筒１４は、先述のように内周面に雌ねじ部を有しており、容器本体１の口部４の外周面に設けられている雄ねじ部にねじ係合させることにより固定することができる。装着筒１４の外周面は平目ローレットの形状を有しており、注出容器１００の利用者が装着筒１４と容器本体１とのねじ係合を容易に外すことができる。これにより、ポンプ８を容器本体１から取り外して内容液の充填を容易に行うことができる。
【００２２】
ポンプ８は、従来より一般的に使用されているポンプの一例であり、ポンプ本体８Ｂに対してヘッド部５を押下してステム９を押し下げることにより、容器本体１内の内容液を、筒部１６から吸い上げて、ノズル筒６の先端に設けられた注出口７から注出させることができる。ポンプ８は、装着筒１４を容器本体１の口部４にねじ固定することにより、容器本体１に対して組み付け固定することができる。
【００２３】
ポンプ８に設けられたリング１１の側面には、外周方向、すなわち図１において内容液の注出方向に延びる注出方向保持部２３Ｈと、注出方向保持部２３Ｈの外周側端部から更にポンプ８の中心軸線ＣＬに沿って容器本体１の方向へと延びる中心軸線方向保持部２３Ｖとを有する、係止部２３が設けられている。注出方向保持部２３Ｈと中心軸線方向保持部２３Ｖとは、滑らかなＲ面２３Ｒにより結合されており、後述するように利用者が手を掛けて使い易いように構成されている。
【００２４】
次に、本実施形態に係る注出容器１００の使用方法について説明する。
【００２５】
図２は、利用者が、スポンジＳを手の平に持っている方の手Ｈのみを用いて内容液の注出を行っている状態を示す図である。図２に示す注出容器１００においては、ポンプ８の中心軸線ＣＬが鉛直方向に対して約４５度傾斜して配置されている。これにより、ポンプ８のヘッド部５が利用者の方向に突出して配置されることになるため、利用者の手Ｈの親指Ｔがヘッド部５に届き易くなっている。
【００２６】
図２において、利用者は、手Ｈの人差し指Ｆを係止部２３に掛けながら、親指Ｔでポンプ８のヘッド部５を押下している。スポンジＳを手の平に持っている利用者にとっては、スポンジＳの大きさの分だけヘッド部５と手Ｈとの距離が大きくなるため、ヘッド部５を真上から押下することが難しい場合がある。その場合、図２のようにヘッド部５の手前側を押下することになる。このときポンプ８のヘッド部５には、内容液を注出するための中心軸線ＣＬに沿った押下力に加えて、図２における右回りの回転モーメントがかかることになる。しかし、利用者は人差し指Ｆを係止部２３に掛けているため、注出方向保持部２３Ｈに対して装着筒１４からヘッド部５へと向かう方向の抗力を与えることにより当該押下力に対抗するための保持力を作用させることができる。また、利用者は、人差し指ＦによりＲ面２３Ｒ及び中心軸線方向保持部２３Ｖに対して注出方向の抗力を与えることにより、当該回転モーメントを打ち消す左回りの回転モーメントを発生させるための保持力を作用させることができる。このように、本実施形態では、係止部２３により装着筒１４からヘッド部５へと向かう方向及び内容物の注出方向に保持力を作用可能としたことにより、スポンジＳを手の平に持っている方の手Ｈの親指Ｔで、安定した状態でヘッド部５を押下し、内容液をスポンジＳ上に注出させることが可能となる。
【００２７】
また、注出容器１００は、内容液の注出方向とは反対方向の側面にフック１８を有する。利用者は、注出容器１００の未使用時にこのフック１８を例えばキッチンの壁等に設けられた凸部に掛けて注出容器１００を整理して配置することが可能となる。また、フック１８を例えばキッチンの蛇口又はシンクの凸部等に掛けて注出容器１００を安定化させた状態で使用することにより、更に内容液の注出操作を安定して行うことができる。
【００２８】
図３は、本発明の第１実施形態に係る注出容器の変形例を示す図である。図３に示す注出容器は、フック１８を有していない代わりに、リング１１がポンプ８の中心軸線周りに回転可能に構成されている。これにより、使用時には、係止部２３がノズル筒６と同じ方向に突出するように配置して、第１実施形態と同様に注出容器を安定化させてから注出操作を行うことができる。また、未使用時には、図３に示すように係止部２３がノズル筒６とは反対方向に突出するように配置して、係止部２３をキッチンの壁等に設けられた凸部に掛けて注出容器１００を整理して配置することが可能となる。
【００２９】
以上述べたように本実施形態によれば、ポンプ８の中心軸線ＣＬが鉛直方向に対して約４５度傾斜するように配置し、ポンプ８のヘッド部５が利用者の方向に突出して配置されるようにしたため、利用者の手Ｈの親指Ｔがヘッド部５に届き易くなり、手の平にスポンジ等を持った状態での内容液の注出操作が容易となる。また、注出容器１００に２方向に延びる係止部２３を設けて、ヘッド部５を押下する力に対する保持力のみならず、ヘッド部５の押下により派生的に生じる回転モーメントを打ち消す方向の保持力をも作用可能に構成した。これにより、利用者は、注出容器１００を安定した状態に保持しながら注出操作を行うことが可能となる。本実施形態は、手が濡れている等、特に係止部２３に掛けた手が滑り易い状態で注出操作を行う場合にも、手が係止部２３から外れにくく、また注出容器１００を安定化させるために任意の方向に保持力を作用可能であるため、顕著な効果を奏する。
【００３０】
また、本実施形態によれば、筒部１６が容器本体１と一体に設けられるように構成したので、ポンプ８に対して内容液を供給するためのパイプを別部品として設ける必要がない。
【００３１】
また、本実施形態によれば、容器本体１の注出方向とは反対方向の側面にフック１８を設けるように構成したので、未使用時にこのフック１８をキッチンの壁等に設けられた凸部に掛けることにより注出容器１００を整理して配置することが可能となる他、使用時にはフック１８をキッチンの蛇口又はシンクの凸部等に掛けて注出容器１００の固定を安定化させることができるため、更に内容液の注出操作を容易に行うことができる。
【００３２】
また、本実施形態によれば、係止部２３をポンプ８の周りに回転可能に構成したので、注出容器１００の未使用時にはポンプ８周りに回転させることによりフックとしての役割を持たせることができる。
【００３３】
次に、図４を参照して、本発明の第２実施形態に係る注出容器２００について説明する。なお、図４に示す本実施形態の注出容器２００は、係止部２４の構成が第１実施形態と異なる他は、大きな差異が無い。従って、ここでは、第１実施形態との差異点を中心に説明する。
【００３４】
略角柱形状を有する本実施形態の容器本体２は、図４における右寄りの位置に長穴形状を有する貫通孔２６が設けられ、貫通孔２６の上端と容器本体２の上端部との間には、口部４から水平方向に延びる水平方向保持部２４Ｈが形成されている。また、貫通孔２６の右端と容器本体２の右側面との間には、当該水平方向保持部２４Ｈの右端から更に容器本体２の底部１９へと延びる鉛直方向保持部２４Ｖが形成されている。そして、水平方向保持部２４Ｈと鉛直方向保持部２４Ｖとにより、係止部２４が構成されている。水平方向保持部２４Ｈと鉛直方向保持部２４Ｖとは、滑らかなＲ面を有する角部２４Ｒにより結合されており、利用者が係止部２４に手を掛けて使い易いように構成されている。
【００３５】
次に、本実施形態に係る注出容器２００の使用方法について説明する。
【００３６】
図４は、利用者が、スポンジＳを手の平に持っている方の手Ｈのみを用いて内容液の注出を行っている状態を示す図である。図４に示す注出容器２００においても、第１実施形態と同様に、ポンプ８の中心軸線ＣＬが鉛直方向に対して約４５度傾斜して配置されている。図４において、利用者は、手Ｈの人差し指Ｆ及び中指Ｍを係止部２４に掛けながら、親指Ｔでポンプ８のヘッド部５を押下している。スポンジＳを手の平に持っている利用者にとっては、スポンジＳの大きさの分だけヘッド部５と手Ｈとの距離が大きくなるため、図４のようにヘッド部５の手前側を押下する場合がある。このときポンプ８のヘッド部５には、内容液を注出するための中心軸線ＣＬに沿った押下力に加えて、図４における右回りの回転モーメントがかかることになる。しかし、利用者は人差し指Ｆ及び中指Ｍを係止部２４に掛けているため、水平方向保持部２４Ｈ及び角部２４Ｒに対して装着筒１４からヘッド部５へと向かう方向の抗力を与えることにより当該押下力に対抗するための保持力を作用させることができる。また、利用者は、人差し指Ｆ及び中指Ｍにより角部２４Ｒ及び鉛直方向保持部２４Ｖに対して注出方向の抗力を与えることにより、当該回転モーメントを打ち消す左回りの回転モーメントを発生させるための保持力を作用させることができる。このように、本実施形態では、係止部２４により装着筒１４からヘッド部５へと向かう方向及び内容物の注出方向に保持力を作用可能としたことにより、スポンジＳを手の平に持っている方の手Ｈの親指Ｔで、安定した状態でヘッド部５を押下し、内容液をスポンジＳ上に注出させることが可能となる。
【００３７】
以上述べたように本実施形態によれば、注出容器２００に２方向に延びる係止部２４を設けて、ヘッド部５を押下する力に対する保持力のみならず、ヘッド部５の押下により派生的に生じる回転モーメントを打ち消す方向の保持力をも作用可能に構成した。これにより、利用者は、注出容器２００を安定した状態に保持しながら注出操作を行うことが可能となる。特に本実施形態では、係止部２４を容器本体２と一体的に設けるように構成したので、第１実施形態のように係止部として新たな部品を設けることなく、注出容器２００を確実に保持しながら注出操作を行うことが可能となる。
【００３８】
次に、図５を参照して、本発明の第３実施形態に係る注出容器３００について説明する。図５に示す注出容器３００は、図４に示した注出容器２００と比較すると、鉛直方向保持部２５Ｖの下端部と底部１９とが接続されておらず、指が通せる程度の隙間が設けられている。この構成により、利用者は、貫通孔２６に人差し指Ｆ、中指Ｍを通すことに加えて、薬指Ｒを鉛直方向保持部２５Ｖの下端部に挿入して保持力を作用させることができるため、より保持力の大きさと制御性を高めることができる。
【００３９】
本実施形態の注出容器３００によれば、係止部２５に対して３本の指で保持力を作用させることが可能となるため、より大きく制御性が高い保持力で注出容器３００を保持しながら、安定した注出操作を行うことが可能となる。
【００４０】
なお、上述したところは、本発明の実施形態を示したにすぎず、特許請求の範囲において、種々の変更を加えることができる。例えば、第１実施形態において、係止部２３はポンプ８のリング１１の側面から突出するように構成したが、この態様には限定されない。係止部２３は、ポンプ８、装着筒１４、容器本体１のいずれに設けられていてもよい。また、フック１８の内側形状は、凸部に掛けるのに好適であれば、円弧以外の任意の形状を採用することができる。そして、容器本体１乃至３は、角柱以外の様々な形状とすることができる。
【００４１】
また、本実施形態においては、スポンジＳを片手Ｈの手の平に載せた状態で、親指でポンプ８のヘッド部５を押し下げ、他の少なくとも１本の指で係止部２３に保持力を作用させるように構成したが、この態様には限定されない。操作を行う片手Ｈに必ずしもスポンジＳを持っている必要はないし、また操作を行う指についても親指で係止部２３を把持しつつ、他の少なくとも１本の指でヘッド部５を押し下げるようにしてもよい。このようにしても、安定した注出操作を行うという本願発明の効果を得ることができる。
【００４２】
また、本実施形態において、ポンプ８の傾斜角は約４５度としたが、この態様には限定されない。利用者がポンプ８のヘッド部５にアクセスし易く、注出容器１００乃至３００を安定して置くことができる任意の傾斜角度となるように構成することができる。そして、そのような構成は本発明の範囲内であると理解すべきである。
【符号の説明】
【００４３】
１，２，３      容器本体
４      口部
５      ヘッド部
６      ノズル筒
７      注出口
８      ポンプ
８Ｂ    ポンプ本体
８Ｌ    ポンプ下端部
９      ステム
１１    リング
１４    装着筒（装着部）
１５    胴部
１６    筒部
１６Ｕ  筒部上端部
１６Ｌ  筒部下端部
１７    スリット
１８    フック
１９    底部
２３，２４，２５    係止部
２３Ｈ  注出方向保持部
２３Ｖ  中心軸線方向保持部
２３Ｒ  Ｒ面
２４Ｈ，２５Ｈ  水平方向保持部
２４Ｖ，２５Ｖ  鉛直方向保持部
２４Ｒ，２５Ｒ  角部
２６    貫通孔
１００，２００，３００  注出容器
Ｈ      手
Ｔ      親指
Ｆ      人差し指
Ｍ      中指
Ｒ      薬指
Ｓ      スポンジ
ＣＬ    中心軸線
【図１】
2017013826.tif 000003
【図２】
2017013826.tif 000004
【図３】
2017013826.tif 000005
【図４】
2017013826.tif 000006
【図５】
2017013826.tif 000007